(57)【要約】【課題】放送局の編集システムにおいて、収録した素材の削除処理を効率的に行うことが可能となり、作業者の負荷を低減する技術を提供する。【解決手段】素材検索画面において「削除検索」ボタンが押下されると、削除条件設定画面遷移ステップとして、アクティブな画面が、削除条件選択画面Ａ３０に遷移する。「前回」ボタンＢ３１、「ランキング」ボタンＢ３２、および「おすすめ」ボタンＢ３３のいずれかのボタンが押下されると、押下されたボタンに関連付けられた削除条件が削除検索条件表示エリアＡ３１の削除条件リスト欄Ａ３３に表示される。セットボタンＢ３５が押下されると、条件セットステップとして、素材検索画面に戻り、削除条件設定画Ａ３０で選択した条件がセットされる。【選択図】  図４
2020036243.tif 000002
【特許請求の範囲】
【請求項１】
放送に用いられる映像素材の検索機能及び削除機能を有する編集システムであって、
素材検索画面に設けられ、押下によって、削除候補を検索するための削除条件設定画面に遷移させる第１のボタンと、
前記削除条件設定画面に設けられ、押下によって、前回以前に検索された条件を選択可能に表示させる第２のボタンと、
前記削除条件設定画面に設けられ、押下によって、操作履歴から実施される頻度の高い条件を選択可能に表示させる第３のボタンと、
前記削除条件設定画面に設けられ、押下によって、稼働状況や番組内容に応じて薦める条件を選択可能に表示させる第４のボタンと、
前記削除条件設定画面に設けられ、押下によって、前記表示される条件の中から指定されている条件を削除条件としてセットし、前記素材検索画面に前記削除条件がセットされた状態で遷移させる第５のボタンと、
を有し、
前記削除機能は、前記素材検索画面に設けられた自動変換機能の指示ボタンがオンの場合であって、前記第５のボタンの押下によって遷移した場合に、使用時の状況に合わせて削除条件を自動変換して検索結果から削除を行うことを特徴とする編集システム。
【請求項２】
放送に用いられる映像素材の検索機能及び削除機能を実行する編集方法であって、
素材検索画面に設けられた第１のボタンの押下によって、削除候補を検索するための削除条件設定画面に遷移させる削除条件設定画面遷移ステップと、
前記削除条件設定画面に設けられた第２のボタンの押下によって、前回以前に検索された条件を選択可能に表示させる前回条件表示ステップと、
前記削除条件設定画面に設けられた第３のボタンの押下によって、操作履歴から実施される頻度の高い条件を選択可能に表示させるランキング表示ステップと、
前記削除条件設定画面に設けられた第４のボタンの押下によって、稼働状況や番組内容に応じて薦める条件を選択可能に表示させる推奨表示ステップと、
前記削除条件設定画面に設けられた第５のボタンの押下によって、前記表示される条件の中から指定されている条件を削除条件としてセットし、前記素材検索画面に前記削除条件がセットされた状態で遷移させる条件セットステップと、
前記削除機能において、前記素材検索画面において自動変換機能が有効に設定されている場合であって、前記第５のボタンの押下によって遷移した場合に、使用時の状況に合わせて削除条件を自動変換して検索結果から削除を行う自動削除ステップと、
を有することを特徴とする編集方法。
【請求項３】
前記検索機能を用いて編集に利用可能な映像素材を検索するために、
前記映像素材に含まれる音声データを抽出し、抽出した音声データに対して言語処理を行う言語処理部と、
前記言語処理部にて解析した結果に基づいて必要な映像のタイムコードを特定し、言語が含まれるフレームを記録し、言語処理結果を検出フレームに反映し、必要な映像の切り出し又は複数にまたがる映像を結合する素材解析部と、
を有することを特徴とする請求項１に記載の編集システム。
【発明の詳細な説明】
【技術分野】
【０００１】
本発明は、編集システム及び編集方法に係り、例えば、放送局における取材素材等の収録素材を収録・編集・送出する編集システム及び編集方法に関する。
【背景技術】
【０００２】
放送局において番組を送出する場合に、編集用元素材を編集し番組を送出する技術がある（特許文献１参照）。特許文献１に開示の技術では、編集用元素材と編集済素材との関係を抜き出した情報であるデータを作成し、再び編集する場合には、編集済素材と前記データと元素材情報データとを使用して編集する。
【先行技術文献】
【特許文献】
【０００３】
【特許文献１】特開２０１２−３４２１８号公報
【発明の開示】
【発明が解決しようとする課題】
【０００４】
放送局で用いられるビデオサーバーシステム、特に編集が関連するシステムでは、編集元の素材が大量にあり定期的に削除は行われる。しかし、イベントなどでシステムの通常運用想定以上に素材が入力されると、サーバ容量が上限に達してしまうため、手動で削除する必要が出てくるが、どの素材を削除すれば良いか判断が難しく労力が掛かっており、不要な素材を削除する支援技術が求められていた。
【０００５】
本発明は、このような状況に鑑みなされたもので、上記課題を解決することを目的とする。
【課題を解決するための手段】
【０００６】
本発明は、放送に用いられる映像素材の検索機能及び削除機能を有する編集システムであって、素材検索画面に設けられ、押下によって、削除候補を検索するための削除条件設定画面に遷移させる第１のボタンと、前記削除条件設定画面に設けられ、押下によって、前回以前に検索された条件を選択可能に表示させる第２のボタンと、前記削除条件設定画面に設けられ、押下によって、操作履歴から実施される頻度の高い条件を選択可能に表示させる第３のボタンと、前記削除条件設定画面に設けられ、押下によって、稼働状況や番組内容に応じて薦める条件を選択可能に表示させる第４のボタンと、前記削除条件設定画面に設けられ、押下によって、前記表示される条件の中から指定されている条件を削除条件としてセットし、前記素材検索画面に前記削除条件がセットされた状態で遷移させる第５のボタンと、を有し、前記削除機能は、前記素材検索画面に設けられた自動変換機能の指示ボタンがオンの場合であって、前記第５のボタンの押下によって遷移した場合に、使用時の状況に合わせて削除条件を自動変換して検索結果から削除を行う。
本発明は、放送に用いられる映像素材の検索機能及び削除機能を実行する編集方法であって、素材検索画面に設けられた第１のボタンの押下によって、削除候補を検索するための削除条件設定画面に遷移させる削除条件設定画面遷移ステップと、前記削除条件設定画面に設けられた第２のボタンの押下によって、前回以前に検索された条件を選択可能に表示させる前回条件表示ステップと、前記削除条件設定画面に設けられた第３のボタンの押下によって、操作履歴から実施される頻度の高い条件を選択可能に表示させるランキング表示ステップと、前記削除条件設定画面に設けられた第４のボタンの押下によって、稼働状況や番組内容に応じて薦める条件を選択可能に表示させる推奨表示ステップと、前記削除条件設定画面に設けられた第５のボタンの押下によって、前記表示される条件の中から指定されている条件を削除条件としてセットし、前記素材検索画面に前記削除条件がセットされた状態で遷移させる条件セットステップと、前記削除機能において、前記素材検索画面において自動変換機能が有効に設定されている場合であって、前記第５のボタンの押下によって遷移した場合に、使用時の状況に合わせて削除条件を自動変換して検索結果から削除を行う自動削除ステップと、を有する。
本発明は、前記検索機能を用いて編集に利用可能な映像素材を検索するために、前記映像素材に含まれる音声データを抽出し、抽出した音声データに対して言語処理を行う言語処理部と、前記言語処理部にて解析した結果に基づいて必要な映像のタイムコードを特定し、言語が含まれるフレームを記録し、言語処理結果を検出フレームに反映し、必要な映像の切り出し又は複数にまたがる映像を結合する素材解析部と、を有する。
【発明の効果】
【０００７】
本発明によれば、放送局の編集システムにおいて、収録した素材の削除処理を効率的に行うことが可能となり、作業者の負荷を低減することができる。
【図面の簡単な説明】
【０００８】
【図１】実施形態に係る、映像編集システムの概略構成を示す図である。
【図２】実施形態に係る、素材一覧画面の一例を示す図である。
【図３】実施形態に係る、素材検索画面の一例を示す図である。
【図４】実施形態に係る、削除条件設定画面の一例を示す図である。
【図５】実施形態に係る、映像フレーム編集処理機能を説明する図である。
【発明を実施するための形態】
【０００９】
以下、本発明の実施形態について図面を参照して詳細に説明する。
図１は、本実施形態に係る映像編集システム１の概略構成を示すブロック図である。映像編集システム１は、カメラ１０と、収録装置１１と、記録装置１２と、編集装置１４と、システム制御装置１５と、転送制御装置１６と、画像・音声解析装置１８と、送出サーバ１９と、素材管理端末２０とを備え、これらはＬＡＮ回線や所定の通信回線等のネットワーク２で接続されている。
【００１０】
カメラ１０は、ＣＣＤ（Charge Coupled Device）やＣＭＯＳ（Complementary Metal Oxide Semiconductor）素子等で撮像した画像にデジタル変換処理を施し、変換結果の画像データ（例えば、ＨＤ−ＳＤＩ規格の素材映像データ）を、収録装置１１へ収録して、ネットワーク２を介して記録装置１２や編集装置１４、送出サーバ１９へ出力する。
【００１１】
記録装置１２は、収録装置１１で収録された素材映像データを記録し保管する。記録装置１２は、アーカイブ装置５０を備える。アーカイブ装置５０は、完成した番組や編集素材のファイルを記録媒体（ＨＤＤ、光ディスクや磁気カートリッジ）に記録する。また、完成した番組や編集素材のファイルは、クラウドへ保存されてもよい。
【００１２】
アーカイブ装置５０に記録されたファイルは、番組の放送スケジュールに沿って送出サーバ１９に転送されたり、収録装置１１に転送され編集装置１４による番組編集処理に用いられる。
【００１３】
アーカイブ装置５０に収録されるファイル形式として、例えば、ＭＸＦが用いられる。ＭＸＦは、いわゆる業務用映像ファイルのフォーマットであり、カムコーダ、録画再生機、ノンリニア編集機、送出設備などの放送用装置機材に利用されており、映像や音声などの様々なフォーマットのデータを、メタデータとともにラッピングすることができる。メタデータは、例えば、フレームレート、フレームサイズ、作成日のほか、カメラ１０の撮影者、素材の各種情報（タイトルや内容、再生時間、シーンの情報等）を含めることができる。
【００１４】
編集装置１４は、収録素材（すなわち素材映像データ）に対して実際にレンダリング処理を施す編集を行うレンダリング編集機能や、レンダリングを必要としないクリップ化を行うカット編集機能等を有する。編集装置１４には、実際にこの編集作業を行うプロセッサを具備する編集制御手段（編集手段）と、素材映像データ、及びこれに編集が施された後の映像データに基づく映像を表示させる表示部（表示手段：ディスプレイ）と、その画像や音声における各部分を選択する、あるいは指示を入力するための操作パネル（操作手段）が設けられる。表示部と操作パネルとが一体化されたタッチパネルディスプレイを用いることがより好ましい。
【００１５】
編集装置１４は、収録装置１１から素材映像データを読み込み、この素材映像データに基づく画像を表示部でユーザに確認させた上で操作パネルを操作させ、処理の対象となる部分を指定し、カット編集処理やレンダリング処理等の各種編集処理を施す操作を行い、再度、収録装置１１に記録する。
【００１６】
編集処理において、用いる編集情報として、処理対象となる部分の映像フレーム位置、映像上の座標、あるいは処理対象が音声の場合には音声サンプルの位置の範囲、処理の内容等がある。処理の内容としては、処理対象が映像の場合にはモザイク処理、ブラー処理、映像カット、輝度の増減処理、処理対象が音声の場合にはミュート処理、音量調整等がある。
【００１７】
システム制御装置１５は、映像編集システム１全体を統括的に制御するものであって、単独で構成されてもよいし、他装置（送出サーバ１９など）と同一に含まれて構成されてもよい。また、システム制御装置１５は、送出サーバ１９に対して番組の送出の指示を行う。
【００１８】
転送制御装置１６は、記録装置１２のアーカイブ装置５０と他の装置（収録装置１１や送出サーバ１９等）の間のファイル転送を制御する。また、転送制御装置１６は、編集装置１４によるカット編集処理によってクリップ化された場合に、クリップ部分を抽出し、不要部分を削除して、アーカイブ装置５０にアーカイブする。なお、転送制御装置１６は、単独として構成されてもよいし、記録装置１２や編集装置１４に含まれる構成であってもよい。
【００１９】
画像・音声解析装置１８は、記録装置１２（特にアーカイブ装置５０）に蓄積された収録素材を解析し、解析結果と素材位置とを関連付ける。画像・音声解析装置１８は、解析に用いる解析用メタデータ（音声キーワードや顔画像等）を編集装置１４や他の操作端末から取得し登録する。なお、画像・音声解析装置１８は、ネットワーク２で接続されたクラウド上に設置されたサービスを利用してもよい。
【００２０】
送出サーバ１９は、システム制御装置１５の指示を受けて、収録装置１１に記録された素材や編集装置１４で生成された番組用放送素材（すなわち、各種の素材等が纏められたコンテンツ）を放送出力（オンエア）する。
【００２１】
素材管理端末２０は、削除機能としての素材を管理するための素材一覧画面の表示を行う装置である。
【００２２】
＜実施例１：削除検索処理機能＞
以上の構成の映像編集システム１の編集装置１４における、検索処理機能、必要に応じて削除検索処理機能について、さらに図２〜４を参照して説明する。編集装置１４は、編集者が手動で削除した場合、削除ボタンＢ１１が押下される直前の操作、すなわち検索条件の設定内容を蓄積・分析（機械学習等）しておき、次回以降の削除処理において、同じ検索条件や頻度の高い検索条件を自動でセットできるようにする。
【００２３】
図２には素材一覧画面Ａ１０の例を示す。素材一覧画面Ａ１０には、記録装置１２に収納されている素材映像データや編集素材の一覧が確認できるように示されている。
【００２４】
素材特性選択エリアＡ１１は、「素材一覧」タブ、「編集済み一覧」タブを選択可能に設けている。ここでは、全ての素材データ（素材映像データ及び編集素材）を選択対象とする「素材一覧」タブが選択され、反転表示されている。素材特性選択エリアＡ１１で選択されている素材データについては、検索処理後に素材一覧表示エリアＡ１２に表示される。素材一覧表示エリアＡ１２の下側エリアにいくつかの機能を実行するボタン等が設けられている。それらボタン等の一つとして、削除ボタンＢ１１が設けられている。素材一覧表示エリアＡ１２に表示されている素材データから所望のものを選択し、削除ボタンＢ１１を押下することで、選択されていた素材データが記録装置１２から削除される。
【００２５】
素材特性選択エリアＡ１１の下側エリアには、部署指定エリアＡ１３が設けられており、そのエリアで、素材の管理部署を指定する。指定後、検索ボタンＡ１５を押下することで、指定された検索条件に合致する素材データの一覧が素材一覧表示エリアＡ１２に表示される。
【００２６】
図３の素材検索画面Ａ２０は、詳細な検索条件を設定して素材データの検索を行う画面であって、図２の素材一覧画面Ａ１０で所定の操作をすることで遷移してきたものである。一番上には、検索対象エリアＡ２１が設けられており、検索対象を指定する素材選択オプションボタンＡ２１が設けられており、「素材」ボタンがチェックされると素材映像データが選択され、「編集済み」ボタンがチェックされると編集済み素材が選択される。
【００２７】
検索対象エリアＡ２１の下側エリアには、設定された条件をクリアする条件クリアボタンＢ２１と、当該素材検索画面Ａ２０による処理をキャンセルするキャンセルボタンＢ２２が左右に並んで設けられている。
【００２８】
条件クリアボタンＢ２１とキャンセルボタンＢ２２の下側エリアには、検索内容を指定する検索内容入力エリアＡ２２が設けられている。「ＡＮＤ／ＯＲ」設定、「タイトル／サブタイトル」や「収録部局名」等の検索対象項目を指定した上で、所望の検索キー（一般には文言や数字）を入力する。
【００２９】
検索内容入力エリアＡ２２の下側エリアには、検索範囲指定エリアＡ２３が設けられている。検索範囲指定エリアＡ２３では、放送日を選択・指定する。
【００３０】
検索範囲指定エリアＡ２３の下側エリアには、「削除検索」ボタンＢ２４（第１のボタン）、「検索実行」ボタンＢ２５が横に並んで設けられている。「検索実行」ボタンＢ２５が押下されると、検索内容入力エリアＡ２２及び検索範囲指定エリアＡ２３の入力内容に従って検索処理が実行される。「削除検索」ボタンＢ２４が押下されると、削除条件設定画面遷移ステップとして、アクティブな画面が、後述する図４の削除条件選択画面Ａ３０に遷移する。
【００３１】
図４に示す削除条件設定画面Ａ３０について具体的に説明する。削除条件設定画面Ａ３０では、上側エリアに、「前回」ボタンＢ３１（第２のボタン）、「ランキング」ボタンＢ３２（第３のボタン）、および「おすすめ」ボタンＢ３３が（第４のボタン）横に並んで配置されており、更にそれらの下側エリアに、削除検索条件表示エリアＡ３１が設けられている。
【００３２】
削除検索条件表示エリアＡ３１には、表示件数を指定する表示件数指定欄Ａ３２と、削除条件のリストを表示する削除条件リスト欄Ａ３３とが設けられている。
【００３３】
「前回」ボタンＢ３１、「ランキング」ボタンＢ３２、および「おすすめ」ボタンＢ３３のいずれかのボタンが押下されると、押下されたボタンに関連付けられた削除条件が削除検索条件表示エリアＡ３１の削除条件リスト欄Ａ３３に表示される。
【００３４】
より具体的には、「前回」ボタンＢ３１が押下されると、前回条件表示ステップとして、前回以前（複数世代）に削除検索処理を行った際に用いられた所定回数又は所定期間の条件が削除条件リスト欄Ａ３３に複数表示される。
【００３５】
「ランキング」ボタンＢ３２が押下されると、ランキング表示ステップとして、過去の統計（履歴）から削除処理実行前に実施される頻度の高い条件を削除条件リスト欄Ａ３３に複数ランキング順に表示する。当該映像編集システム１を利用する人全ての検索条件をランキングすることで、担当者が変わっても他者の検索条件を参考にできる。
【００３６】
「おすすめ」ボタンＢ３３が押下されると、推奨表示ステップとして、当該映像編集システム１が薦める削除条件を表示する。具体的には、映像編集システム１の稼働状況や番組改変やイベント（選挙・スポーツ大会）などから、映像編集システム１が薦める削除条件を判断して表示する。例えば、次のような例（１）〜（６）が挙げられる。
（１）ログイン者が関連する素材を検索する。
（２）長尺素材を検索する。
（３）番組の放送曜日と時刻などの情報と絡めて、実行日において放送済の番組の素材を全て検索する。
（４）毎週水曜１９時から１時間の番組で放送済の素材を検索する。
（５）四半期の番組改編時期には、終了した番組の関連素材を全て検索する。
（６）選挙や各種スポーツ大会の放送が終了したら（終了したことの判断は自動判断や手動による情報入力を設ける）、関連した素材を全て検索する。
【００３７】
「前回」ボタンＢ３１、「ランキング」ボタンＢ３２、および「おすすめ」ボタンＢ３３のいずれかのボタンが押下されて、削除条件リスト欄Ａ３３に表示された削除条件から所望の条件が選択されて、削除検索条件表示エリアＡ３１の下側エリアに設けられているセットボタンＢ３５（第５のボタン）が押下されると、条件セットステップとして、図３の素材検索画面Ａ２０に戻り、削除条件設定画Ａ３０で選択した条件がセットされる。すなわち、セットボタンＢ３５は、素材検索画面Ａ２０の検索条件部分（検索内容入力エリアＡ２２、検索範囲指定エリアＡ２３）に図４の削除条件設定画面Ａ３０で選択した削除条件をセットするボタンである。条件がセットされた状態で、「検索実行」ボタンＢ２５が押下されると、その条件にあう素材データの一覧が素材一覧表示エリアＡ１２に表示される。そして、上述のように、この素材一覧表示エリアＡ１２に表示されている素材データから所望のものを選択して削除ボタンＢ１１を押下することで、その素材データは記録装置１２から削除される。
【００３８】
ここで、セットボタンＢ３５の横に設けられている「自動変換」オプションボタンＢ３４がオンになっていた場合は、使用時の状況に検索条件を自動変換する。このとき、自動削除ステップとして、自動的に削除が実行されてもよい。
【００３９】
検索条件の自動変換について、具体的には、放送日や収録日などの日時条件は、蓄積データを分析しておくことで、使用時の条件に最適なものに自動変換する。例えば、２０１７年１２月１日に、収録日が２０１７年６月までの範囲で検索した場合は、半年以上経過しているものを検索していると分析し、削除条件設定画面では「収録日：半年以上経過」と表示する。この条件が２０１８年１月１日にセットされると、検索条件には「収録日が２０１７年７月まで」と自動変換し素材検索画面にセットする。番組名、担当部署、素材尺等についても蓄積データの分析によって法則性を見つけた場合は自動変換する。
【００４０】
番組名の自動変換例について説明する。金曜日に木曜日放送の番組名で検索していた場合は、「前日放送の番組名のものを検索している」と分析し、削除条件設定画面Ａ３０では「番組名：前日放送」と表示する。この条件が水曜日（２０１７年１２月１３日）にセットされると、検索条件には「番組名：火曜日（２０１７年１１月１２日）」と自動変換し素材検索画面Ａ２０にセットする。
【００４１】
担当部署の自動変換例について説明する。例えば、ＡＡＡ部署のＡさんが、担当部署ＡＡＡと担当部署ＢＢＢの素材を検索していた場合、「ＡＡＡ部署またはＢＢＢ部署のものを検索する」と分析する。ＡＡＡ部署のＢさんが検索する際にも、削除条件設定画面Ａ３０で「担当部署：ＡＡＡ部署用」と表示する。この条件がセットされると、検索条件には「担当部署：ＡＡＡ部署またはＢＢＢ部署」と自動変換する。
【００４２】
つぎに、素材尺の自動変換例を説明する。素材尺が３時間以上や１時間以上などで検索された場合は、その時のサーバの残容量と照らし合わせて、例えば「残容量がほとんどない時は素材尺１時間以上で検索される」などの分析を行い、その時の残容量に応じた素材尺の検索条件を自動変換する。
【００４３】
このように、従来手動であった削除作業を一定の条件に設定して自動で削除することにより、削除効率向上と統一性を図ることができる。すなわち、サーバ（ここでは記録装置１２やアーカイブ装置５０）の格納容量が多く定期的に手動削除しているケースもあるが、手動削除の担当者が変わると、削除条件が分からず新たに削除条件を探さなければならない。手動削除を実施する際の素材抽出条件はある程度のパターンに絞ることができるという傾向が見られることから、削除検索条件を候補表示することで、検索の効率を向上させることができる。
【００４４】
＜実施例２：映像フレーム編集処理機能＞
つぎに、図５を参照して、画像・音声解析装置１８による映像フレーム編集処理機能を説明する。
【００４５】
一般に、素材データ（映像）に含まれる音声データから、文字データを作成し、シーンの削除、結合を行うことで放送に適した映像を作成する編集処理がある。取材を行うなど映像を記録した人物と、実際に映像を編集する人物が異なる場合、編集を行う際に必要なシーンを探索する作業が発生する。また、取材対象の必要な発話のみを抽出するため、不要な発話を削除する事（要約作業）もある。これらは非常に手間の掛かる作業である。
【００４６】
そこで、画像・音声解析装置１８は、素材データ（映像）Ｍ１０に含まれる発話データＭ１２から、言語処理を行い、フレーズを検出、必要な映像の切り出し、もしくは切り出した複数にまたがる映像を結合する機能（映像フレーム編集処理機能）を実行可能となっている。映像フレーム編集処理機能では、大きな流れとして、言語を検出したフレームを記録し、言語処理結果を記録し、言語処理結果を検出フレームに反映し、必要なフレームを結合する。
【００４７】
詳細には、画像・音声解析装置１８は、まず、素材映像Ｍ１１と音声データＭ１２（素材音声）からなる素材データＭ１０に対して文字データ抽出処理を行う（Ｓ１０）。文字データ抽出処理では、素材データ（映像）Ｍ１０の音声データＭ１２が含まれるフレームを特定し、そのフレームのＩＮ点とＯＵＴ点を特定する。画像・音声解析装置１８は、特定したフレームの音声データＭ１２から文字データＭ１３を生成し、さらに、言語処理機能により、文字データＭ１３をフレーズに分割し、分割したフレーズ毎にＩＮ点とＯＵＴ点を特定する。ここでは、音声データＭ１２が「ホンジツノテンキハ  エー  ハレデス  マチガエマシタ  アメデス」である場合に、「ホンジツノテンキハ」「エー」「ハレデス」「マチガエマシタ」「アメデス」の５つのフレーズに分割している。なお、フレーズ間は、無音期間が取り除かれて、不連続であってもよい。
【００４８】
つぎに、画像・音声解析装置１８は、素材分割処理を行う（Ｓ１２）。具体的には、画像・音声解析装置１８は、フレーム毎に特定したＩＮ点とＯＵＴ点を用いて、必要な素材データＭ１０のＴＣ（Time Code）を特定し、このＴＣに対応する部分を素材データＭ１０から分割抽出する。ここでは、分割抽出されたフレームを、分割素材とよび、ここでは５つの分割素材１〜５となる。例えば、分割素材１は、音声データが「ホンジツノテンキハ」と、その期間に対応した素材映像である映像１とから構成されている。分割素材４では、分割素材４は、音声データが「マチガエマシタ」と、その期間に対応した素材映像である映像４とから構成されている。生成された分割素材１〜５は、素材一覧として記録装置１２に追加される。
【００４９】
画像・音声解析装置１８は、編集装置１４にて編集作業が行われるときに、編集者に対して、不要な発言が含まれる部分を削除したフレーム、すなわち、素材映像Ｍ１０その発言の音声データ期間を取り除いたフレームを結合して提示する抽出フレーム提示処理を行う（Ｓ１４）。必要な映像の切り出し（不要部分の削除についての条件は、予め登録されている。例えば、図の分割素材１〜５のうち、画像・音声解析装置１８は、分割素材１と分割素材５の二つのフレームからなる編集後映像素材Ｍ３０が提示し、編集者がそれを容認すると、所定の操作により放送素材のタイムラインに追加される。
【００５０】
このように、言語（音声）を検出したフレームに言語処理を施し、不必要な部分を削除して提示することができるため、従来では編集者により手動で行っていた作業の時間、すなわち編集時の作業時間の短縮と、編集内容の均一化を図ることができる。画像・音声解析装置１８は、言語処理の結果に対するフィードバックを取得し学習することで、言語処理の精度を向上させることができる。すなわち、ニュース映像の自動作成や、各局の放送規定に基づいているかの自動判断等が可能となる。
【００５１】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００５２】
１  映像編集システム
１０  カメラ
１１  収録装置
１２  記録装置
１４  編集装置
１５  システム制御装置
１６  転送制御装置
１８  画像・音声解析装置
１９  送出サーバ
２０  素材管理端末
５０  アーカイブ装置
Ａ２０  素材検索画面
Ａ２２  検索内容入力エリア
Ａ２３  検索範囲指定エリア
Ａ３０  削除条件設定画面
Ａ３１  削除検索条件表示エリア
Ａ３３  削除条件リスト欄
Ｂ２４  「削除検索」ボタン（第１のボタン）
Ｂ３１  「前回」ボタン（第２のボタン）
Ｂ３２  「ランキング」ボタン（第３のボタン）
Ｂ３３  「おすすめ」ボタン（第４のボタン）
Ｂ３５  セットボタン（第５のボタン）
【図１】
2020036243.tif 000003
【図２】
2020036243.tif 000004
【図３】
2020036243.tif 000005
【図４】
2020036243.tif 000006
【図５】
2020036243.tif 000007